【手続補正書】
【提出日】平成16年10月26日(2004.10.26)
【手続補正１】
【補正対象書類名】明細書
【補正対象項目名】全文
【補正方法】変更
【補正の内容】
【書類名】      明細書
【発明の名称】  複数枚媒体の繰出し機構
【特許請求の範囲】
【請求項１】  重なり合った上媒体(C1)と下媒体(C2)を分離して１枚ずつ繰出すための繰出し機構であって、
上流に位置し、ゴムローラからなる第１の送りローラ(12)と、
前記送りローラ(12)の上部に接触するよう位置する第１のテンションローラ(14)と、
前記第１のテンションローラ(14)を前記第１の送りローラ(12)に押圧付勢するための第１の押圧ばね(16)と、
前記第１の送りローラ(12)の下流に位置する固定ブロック(26)と、該固定ブロック(26)に対して所定距離のギャップ部(G)を介して上方に位置し、前記送りローラ(12)とは反対方向に回転する逆転ローラ(28)とからなる分離部(24)と、
前記第１の送りローラ(12)よりも上流に位置し、前記逆転ローラ(28)の中心(L)に下媒体(C2)の先端が位置するとき、該媒体(C2)の後端よりも僅かに上流に位置し、前記上媒体(C1)が下媒体(C2)よりも先行して搬送されているとき、該下媒体（C2)を前記分離部(24)に押し込むための押込みローラ(30)と、
前記押込みローラ(30)に接触するよう配置された第３のテンションローラ(32)と、
前記第３のテンションローラ(32)を前記押込みローラ(30)に押圧付勢するための第３の押圧ばね(34)と、
を備えていることを特徴とする複数枚媒体の繰出し機構。
【請求項２】  前記第３のテンションローラ(32)は、前記押込みローラ(30)の上部に接触することを特徴とする請求項１に記載の複数枚媒体の繰出し機構。
【発明の詳細な説明】
【０００１】
【発明の属する技術分野】
本発明は、例えば、複数枚の乗車券を処理する自動改札機、自動精算機などの駅務機器において、複数枚の乗車券を同時に一括投入した場合、該複数枚の乗車券を一枚ずつ読取り、書込み等の処理をするため一枚ずつ分離して繰り出すための複数枚媒体の繰出し機構に関する。
【０００２】
【従来の技術】
従来における繰出し機構としては、図４に概略的に示されている。該繰出し機構１００は、重なり合った状態で一括投入された上媒体Ｃ１と下媒体Ｃ２とが搬送される上流位置にゴムローラからなる第１の送りローラ１０２と、該第１の送りローラ１０２と接触するよう上部位置に配置され、第１の送りローラ１０２に対して第１の押圧ばね１０６により付勢される第１のテンションローラ１０４とを有している。この第１のテンションローラ１０４は、第１の送りローラ１０２が回転することにより回転するようになっている。
【０００３】
第１の送りローラ１０２の下流の離れた位置には、ゴムローラからなる第２の送りローラ１０８が配置されている。この第２の送りローラ１０８の上部には、該第２の送りローラ１０８と接触するよう第２のテンションローラ１１０が配置されている。この第２テンションローラ１１０は、第２の押圧ばね１１２により第２の送りローラ１０８を押圧するよう付勢している。
【０００４】
第１の送りローラ１０２と第２の送りローラ１０８との間には、２枚の媒体が同時に搬送されてきたとき、これを分離して１枚ずつ繰り出すための分離部１１４が介在されている。該分離部１１４は、下部に位置する固定ブロック１１６と、該固定ブロック１１６の上方に該固定ブロック１１６に対して一定の間隔を有するギャップ部Ｇを介して配置される逆転ローラ１１８とから構成されている。この逆転ローラ１１８は、ゴムローラからなり、媒体の搬送方向と反対方向となるよう上流に向けて回転している。前記ギャップ部Ｇの間隔としては、搬送される媒体一枚分の厚さ以上であって、媒体二枚分の厚さ未満である。従って、一枚の媒体は通過可能であるが、二枚の媒体が同時に通過することはできない。
【０００５】
次に、重なり合った２枚の媒体が揃って搬送されてきた場合、および下媒体Ｃ２が上媒体Ｃ１に対して先端部が先行して搬送されてきた場合の媒体の繰出し（媒体の分離搬送）について、図５に基づいて説明する。この場合、上媒体Ｃ１と下媒体Ｃ２間、いわゆる媒体間の摩擦係数をμとし、下媒体Ｃ２と第１の送りローラ１０２との摩擦係数をμ１とする。
【０００６】
上下の媒体Ｃ１，Ｃ２の先端が揃って分離部１１４に搬送されてきた場合、上媒体Ｃ１の先端は逆転ローラ１１８の周縁部に衝突し、上媒体Ｃ１はギャップ部Ｇの手前で搬送が阻止されるが、下媒体Ｃ２はギャップ部Ｇ内に搬送される。このような状態は、上下の媒体Ｃ１，Ｃ２がずれて下媒体Ｃ２が先行して搬送される場合についても同様である。このとき、下媒体Ｃ２を分離部１１４を通過させるための繰出し条件としては、押圧ばね１０６の押圧力をＰ１とすると、μ１・Ｐ１＞μ・Ｐ１である必要がある。すなわち、媒体間に作用する力（μ・Ｐ１）よりも送りローラ１０２により送られる繰出し力（μ１・Ｐ１）の方が大きいことが必要である。この条件を満足することにより、下媒体Ｃ２は分離部１１４をスムーズに通過することができる。
【０００７】
次に、上媒体Ｃ１が下媒体Ｃ２に対して先行して搬送されてきて先に上媒体Ｃ１が分離部１１４のギャップ部Ｇ内に搬送された場合について、図６に基づき説明する。この場合、上媒体Ｃ１と逆転ローラ１１８との摩擦係数をμ２とし、ギャップ部Ｇにおいて２枚の媒体に加わる第２押圧力をＰ２とする。
【０００８】
上媒体Ｃ１が下媒体Ｃ２に対して先行して搬送され、下媒体Ｃ２よりも先に上媒体Ｃ１がギャップ部Ｇ内に搬送されている場合、上媒体Ｃ１を上流側に戻し、分離部１１４の手前まで完全に戻す必要がある。この上媒体Ｃ１を戻すための条件は、μ２・Ｐ２＞μ・Ｐ２＋μ・Ｐ１である。この場合、ギャップ部Ｇに媒体Ｃ１，Ｃ２に作用する力、すなわち、ギャップ部Ｇに媒体Ｃ１，Ｃ２が繰り出される力（μ・Ｐ１）と、ギャップ部Ｇにおいて媒体Ｃ１，Ｃ２に作用する力（μ・Ｐ２）とを同一とすると、μ・Ｐ１＝μ・Ｐ２となり、Ｐ１＝Ｐ２となる。
【０００９】
このＰ１＝Ｐ２を前記戻し条件の不等式に代入すると、μ２・Ｐ２＞μ・Ｐ２＋μ・Ｐ２となり、その結果、μ２・Ｐ２＞２μＰ２となる。左辺のＰ２の項とと右辺のＰ２の項とが同じであるため、結果的にμ２＞２μとなる。従って、媒体間の摩擦係数μが、媒体Ｃ１と逆転ローラ１１８との摩擦係数μ２の半分（１／２）以下でないと、媒体を分離して繰り出すことができない。
【００１０】
すなわち、従来の分離・繰出し機構は、媒体と送りローラであるゴムローラとの摩擦係数のみによって媒体の繰出しを行っており、摩擦係数μが高い媒体については分離・繰出しがスムーズに行えないということがある。
【００１１】
【発明が解決しようとする課題】
本発明は上記点に着目してなされたものであって、従来の機構では媒体の繰出しができないような摩擦係数の高い媒体であっても、スムーズに分離・繰出しを行えるようにした複数枚媒体の繰出し機構を提供することを課題とするものである。
【００１２】
【課題を解決するための手段】
上記課題を解決するため本発明は、重なり合った上媒体(C1)と下媒体(C2)を分離して１枚ずつ繰出すための繰出し機構であって、上流に位置し、ゴムローラからなる第１の送りローラ(12)と、前記送りローラ(12)の上部に接触するよう位置する第１のテンションローラ(14)と、前記第１のテンションローラ(14)を前記第１の送りローラ(12)に押圧付勢するための第１の押圧ばね(16)と、前記第１の送りローラ(12)の下流に位置する固定ブロック(26)と、該固定ブロック(26)に対して所定距離のギャップ部(G)を介して上方に位置し、前記送りローラ(12)とは反対方向に回転する逆転ローラ(28)とかなる分離部(24)と、前記第１の送りローラ(12)よりも上流に位置し、前記逆転ローラ(28)の中心(L)に下媒体(C2)の先端が位置するとき、該媒体(C2)の後端よりも僅かに上流に位置し、前記上媒体(C1)が下媒体(C2)よりも先行して搬送されているとき、該下媒体（C2)を前記分離部(24)に押し込むための押込みローラ(30)と、前記押込みローラ(30)に接触するよう配置された第３のテンションローラ(32)と、前記第３のテンションローラ(32)を前記押込みローラ(30)に押圧付勢するための第３の押圧ばね(34)と、を備えている複数枚媒体の繰出し機構とした。
【００１３】
前記第３のテンションローラ(32)は、好ましくは、前記押込みローラ(30)の上部に接触する。
【００１４】
【発明の実施の形態】
以下、本発明を図面に示した好ましい一実施例に基づいて詳細に説明するが、本発明の範囲は、図面に示された実施例に限定されるものではない。
【００１５】
図１は、本発明に係る繰出し機構１０の構造を概略的に示している。該繰出し機構１０は、重なり合った状態で一括投入された上媒体Ｃ１と下媒体Ｃ２とが搬送される上流位置にゴムローラからなる第１の送りローラ１２と、該第１の送りローラ１２と接触するよう上部位置に配置され、第１の送りローラ１２に対して第１の押圧ばね１６により付勢される第１のテンションローラ１４とを有している。この第１のテンションローラ１４は、前記第１の送りローラ１２が回転することにより回転するようになっている。
【００１６】
前記第１の送りローラ１２に対して下流の離れた位置には、ゴムローラからなる第２の送りローラ１８が配置されている。この第２の送りローラ１８の上部には、該第２の送りローラ１８と接触するよう第２のテンションローラ２０が配置されている。この第２のテンションローラ２０は、第２の押圧ばね２２により第２の送りローラ１８を押圧するよう付勢している。
【００１７】
第１の送りローラ１２と第２の送りローラ１８との間には、二枚の媒体が同時に搬送されてきたとき、これを分離して一枚ずつ繰り出すための分離部２４が介在されている。該分離部２４は、その下部に位置する固定ブロック２６と、該固定ブロック２６の上方に該固定ブロック２６に対して一定の間隔を有するギャップ部Ｇを介して配置される逆転ローラ２８とから構成されている。この逆転ローラ２８は、ゴムローラからなり、媒体の搬送方向と反対方向となるよう上流に向けて回転している。前記ギャップ部Ｇの間隔としては、搬送される媒体一枚分の厚さ以上であって、媒体二枚分の厚さ未満である。従って、一枚の媒体は通過可能であるが、二枚の媒体が同時に通過することはできない。
【００１８】
前記第１の送りローラ１２の上流には、下媒体Ｃ２を前記分離部２４に押し込むための押込みローラ３０が配置されている。該押込みローラ３０はゴムローラにより構成されている。この押込みローラ３０は、分離ローラ２８の中心Ｌに下媒体Ｃ２の先端が位置した際、該下媒体Ｃ２の上流側の後端よりも若干上流に位置する。すなわち、分離ローラ２８の中心Ｌから媒体の長さよりも僅かに長くなるよう押込みローラ３０は上流に位置する。この押込みローラ３０の上部には、該押込みローラ３０と接触するよう第３のテンションローラ３２が配置されている。このテンションローラ３２は、第３の押圧ばね３４により押込みローラ３０を押圧するよう付勢されている。
【００１９】
次に、重なり合った２枚の媒体Ｃ１，Ｃ２の先端部が揃って搬送されてきた場合、および下媒体Ｃ２が上媒体Ｃ１に対して先端部が先行して搬送されてきた場合の媒体の分離繰出し（媒体の分離搬送）について説明する。この場合の分離繰出し動作については、従来における分離繰出し動作と同様であるが、あらためて説明する。この場合、上媒体Ｃ１と下媒体Ｃ２間、いわゆる媒体間の摩擦係数をμとし、下媒体Ｃ２と第１の送りローラ１２との摩擦係数をμ１とする。
【００２０】
上下の媒体Ｃ１，Ｃ２の先端が揃って分離部２４に搬送されてきた場合、上媒体Ｃ１の先端は逆転ローラ２８の周縁部に衝突し、上媒体Ｃ１はギャップ部Ｇの手前で搬送が阻止されるが、下媒体Ｃ２はギャップ部Ｇ内に搬送される。このような状態は、上下の媒体Ｃ１，Ｃ２がずれて下媒体Ｃ２が先行して搬送される場合についても同様である。
【００２１】
このとき、下媒体Ｃ２を分離部２４を通過させるための繰出し条件としては、第１の押圧ばね１６の押圧力をＰ１とすると、μ１・Ｐ１＞μ・Ｐ１である必要がある。すなわち、媒体Ｃ１，Ｃ２間に作用する力（μ・Ｐ１）よりも第１の送りローラ１２により送られる繰出し力（μ１・Ｐ１）の方が大きいことが必要である。つまり、媒体間の摩擦係数μよりも下媒体Ｃ２と第１の送りローラ１２との摩擦係数μ１の方が大きいことが条件である。この条件を満足することにより、下媒体Ｃ２は分離部２４をスムーズに通過することができる。
【００２２】
次に、図２に示すように上媒体Ｃ１が下媒体Ｃ２に対して先行して搬送されてきて先に上媒体Ｃ１が分離部２４のギャップ部Ｇ内に搬送されてきた場合について説明する。この場合、上媒体Ｃ１と逆転ローラ２８との摩擦係数をμ２とし、下媒体Ｃ２と押込みローラ３０との摩擦係数をμ３とし、ギャップ部Ｇにおいて２枚の媒体に加わる第２押圧力をＰ２とし、第３の押圧ばね３４による第３押圧力をＰ３とする。
【００２３】
図２において、上媒体Ｃ１が下媒体Ｃ２に対して先行して搬送され、下媒体Ｃ２よりも先に上媒体Ｃ１がギャップ部Ｇ内に搬送されている場合、下媒体Ｃ２の後端は押込みローラ３０と第３のテンションローラ３２とで挟まれている。従って、下媒体Ｃ２は、（μ１・Ｐ１＋μ３・Ｐ２）の力で分離部２４に押し込まれ、下媒体Ｃ２に与えられる力が大きくなり、Ｐ２＝Ｐ１＋Ｐ３となる。
【００２４】
ここで、下媒体Ｃ２を上媒体Ｃ１よりも先行して分離繰出すためには、上媒体Ｃ１を上流方向に戻して分離部２４の手前まで完全に戻す必要がある。この先行している上媒体Ｃ１を戻すための条件は、従来技術において説明したと同様に次式（１）が成立する必要がある。
【００２５】
μ２・Ｐ２＞μ・Ｐ２＋μＰ１・・・・・・（１）
この式（１）は、以下の（２）式に書き換えられる。
μ２＞μ・（Ｐ１＋Ｐ２）／Ｐ２・・・・・（２）
この式（２）は、Ｐ２＝Ｐ１＋Ｐ３から式（３）のように書き換えられる。
μ２＞μ・（Ｐ１＋Ｐ１＋Ｐ３）／（Ｐ１＋Ｐ３）・・・（３）
【００２６】
この条件で、第１および第３の押圧ばね１６，３４による押圧力をＰ１＝Ｐ３とすると、前記（３）式は、μ２＞μ・３Ｐ１／２Ｐ１となり、上媒体Ｃ１を上流方向に戻して、２枚の媒体を分離・繰出すための条件は、μ２＞μ・３／２とる。すなわち、上媒体Ｃ１が下媒体Ｃ２に先行して分離部２４に搬送されている場合、該上媒体Ｃ１を一旦上流方向に戻した後に下媒体Ｃ２を先に分離部２４に搬送して、２枚の媒体を分離・繰出すためには、媒体間の摩擦係数μは、上媒体Ｃ１と逆転ローラ２８との摩擦係数μ２の２／３以下までとなる。
【００２７】
従って、従来の繰出し機構であると、媒体間の摩擦係数μがμ２の１／２以下であるのに対して、本願の繰出し機構１０においては、μはμ２の２／３以下であればよく、摩擦係数の高い媒体であってもスムーズに分離・繰出しが可能となる。
【００２８】
なお、図２において、上媒体Ｃ１が上流方向に戻りきって、該上媒体Ｃ１の先端部が逆転ローラ２８の手前に位置すると、上媒体Ｃ１の後端は押込みローラ３０の部分に入り込もうとするが、図３に示されるように上媒体Ｃ１は単にたわむことにより、押込みローラ３０の影響を受けることはなく、無視することができる。
【００２９】
【発明の効果】
以上説明したように本発明によれば、複数枚の媒体を分離して１枚ずつ繰出す機構において、分離部の上流に位置し媒体を繰り出すための送りローラよりも上流位置に媒体を押し込むための押込みローラを配置するようにしているため、媒体間の摩擦係数が大きい媒体であってもスムーズに分離・繰出しが行える。
【図面の簡単な説明】
【図１】
本発明に係る繰出し機構の構造を概略的に示した図であり、分離部に下媒体が上媒体よりも先行している状態を示している。
【図２】
図１に対応した図であり、分離部に上媒体が下媒体よりも先行している状態を示している。
【図３】
図２の状態から上媒体が逆転ローラにより上流方向に戻された状態を示した図である。
【図４】
従来における繰出し機構の構造を概略的に示した図である。
【図５】
図４において、下媒体が上媒体よりも先行して搬送されている状態を示した図である。
【図６】
図４において、上媒体が下媒体よりも先行して搬送されている状態を示した図である。
【符号の説明】
１０  繰出し機構
１２  第１の送りローラ
１４  第１のテンションローラ
１６  第１の押圧ばね
１８  第２の送りローラ
２０  第２のテンションローラ
２４  分離部
２６  固定ブロック
２８  逆転ローラ
３０  押込みローラ
３２  第３のテンションローラ
３４  第３の押圧ローラ